(57)【要約】【課題】本発明は、使用形態の自由度が高い携帯型コンテンツ出力装置を提供することを目的とする。【解決手段】コンテンツファイルを格納する格納部（１０６）と、前記格納部（１０６）に格納されたコンテンツファイルを読み出して第１の信号を生成するコンテンツ再生部（１０７）と、外部装置から送出される第２の信号を入力するための外部入力部（１３０）と、与えられた信号をユーザが感受可能に変換するデバイス（１０２，１０１）とを備えたことを特徴とする携帯型コンテンツ出力装置。【選択図】      図２
2008048234.tif 000002
【特許請求の範囲】
【請求項１】
コンテンツファイルを格納する格納部と、
前記格納部に格納されたコンテンツファイルを読み出し第１の信号を生成するコンテンツデータ再生部と、
外部装置から送出される第２の信号を入力するための外部入力部と、
前記第１の信号と前記第２の信号との少なくとも一方を基に与えられた信号を、ユーザが感受可能に変換するデバイスと
を備えたことを特徴とする携帯型コンテンツ出力装置。
【請求項２】
請求項１に記載の携帯型コンテンツ出力装置において、
前記デバイスへ与えられる信号を、前記第１の信号と前記第２の信号との間で切り替える切替部を更に備えた
ことを特徴とする携帯型コンテンツ出力装置。
【請求項３】
請求項２に記載の携帯型コンテンツ出力装置において、
前記外部入力部に対する前記外部装置の接続状態を検出する検出手段を備え、
前記切替部は、
前記検出された接続状態に応じて前記切り替えを行う
ことを特徴とする携帯型コンテンツ出力装置。
【請求項４】
請求項１に記載の携帯型コンテンツ出力装置において、
前記デバイスへ与えられる信号を、前記第１の信号と前記第２の信号との合成信号とする合成部を更に備えた
ことを特徴とする携帯型コンテンツ出力装置。
【請求項５】
請求項４に記載の携帯型コンテンツ出力装置において、
ユーザに対し合成比を設定させるユーザインタフェースを備え、
前記合成部は、
前記ユーザの設定した合成比で前記合成信号を生成する
ことを特徴とする携帯型コンテンツ出力装置。
【請求項６】
請求項１〜請求項５の何れか一項に記載の携帯型コンテンツ出力装置において、
前記外部装置に対し制御信号を送出する制御部を更に備えた
ことを特徴とする携帯型コンテンツ出力装置。
【請求項７】
請求項６に記載の携帯型コンテンツ出力装置において、
前記制御部は、
前記デバイスの駆動状況に応じて前記制御信号を送出する
ことを特徴とする携帯型コンテンツ出力装置。
【請求項８】
請求項１〜請求項７の何れか一項に記載の携帯型コンテンツ出力装置において、
前記デバイスには、
画像信号に応じて画像を表示する表示デバイスが含まれ、
前記表示デバイスを前記ユーザの頭部へ装着する装着手段を更に備えた
ことを特徴とする携帯型コンテンツ出力装置。
【発明の詳細な説明】
【技術分野】
【０００１】
本発明は、頭部装着型ディスプレイ（ＨＭＤ）など、コンテンツ信号をユーザが感受可能な量に変換する携帯型コンテンツ出力装置に関する。
【背景技術】
【０００２】
特許文献１には、頭部装着型のコンテンツ出力装置であるＨＭＤ本体と、それに専用の携帯型コンテンツデータ再生装置（ターミナル）とが開示されている。ターミナルには通常、ＨＭＤ本体を制御する制御回路、音声付き画像コンテンツデータのファイルを格納するメモリ、そのファイルを読み出して音声信号や映像信号を生成する再生回路などが搭載される。
【０００３】
一方、汎用の携帯型コンテンツデータ再生装置には、音声付き画像コンテンツデータ用の携帯型コンテンツデータ再生装置（携帯型ＤＶＤプレーヤなど）や、音声コンテンツデータ用の携帯型再生装置（携帯型オーディオプレーヤ）などがあり、何れも広く普及している。
【特許文献１】特開２００４−２３３９０３号公報
【発明の開示】
【発明が解決しようとする課題】
【０００４】
これら汎用の携帯型コンテンツデータ再生装置をＨＭＤ本体に組み合わせれば、ＨＭＤ本体で視聴可能なコンテンツデータの数や種類を増やすことができる。しかし、汎用装置の機能は、専用装置の機能と同じとは限らないので、組み合わせにより不自由が生じる可能性もある。
そこで本発明は、使用形態の自由度が高い携帯型コンテンツ出力装置を提供することを目的とする。
【課題を解決するための手段】
【０００５】
本発明の携帯型コンテンツ出力装置は、コンテンツファイルを格納する格納部と、前記格納部に格納されたコンテンツファイルを読み出し第１の信号を生成するコンテンツデータ再生部と、外部装置から送出される第２の信号を入力するための外部入力部と、前記第１の信号と前記第２の信号との少なくとも一方を基に与えられたコンテンツ信号を、ユーザが感受可能に変換するデバイスとを備えたことを特徴とする。
【０００６】
なお、前記デバイスへ与えられる信号を、前記第１の信号と前記第２の信号との間で切り替える切替部を更に備えてもよい。
また、前記外部入力部に対する前記外部装置の接続状態を検出する検出手段を備え、前記切替部は、前記検出された接続状態に応じて前記切り替えを行ってもよい。
また、前記デバイスへ与えられる信号を、前記第１の信号と前記第２の信号との合成信号とする合成部を更に備えてもよい。
【０００７】
また、ユーザに対し合成比を設定させるユーザインタフェースを備え、前記合成部は、前記ユーザの設定した合成比で前記合成信号を生成してもよい。
また、前記外部装置に対し制御信号を送出する制御部を更に備えてもよい。
また、前記制御部は、前記デバイスの駆動状況に応じて前記制御信号を送出してもよい。
【０００８】
また、前記デバイスには、画像信号に応じて画像を表示する表示デバイスが含まれ、前記表示デバイスを前記ユーザの頭部へ装着する装着手段を更に備えてもよい。
【発明の効果】
【０００９】
本発明によれば、使用形態の自由度が高い携帯型コンテンツ出力装置が実現する。
【発明を実施するための最良の形態】
【００１０】
［第１実施形態］
以下、第１実施形態を説明する。本実施形態は、ＨＭＤの実施形態である。
先ず、ＨＭＤの使用形態を説明する。
図１は、ＨＭＤの使用形態を示す外観図である。ＨＭＤ１００は、コンテンツファイルを記憶すると共に、コンテンツファイルを再生する手段を有し、単独で使用することも可能だが、図１に示すように、ケーブル１４を介して汎用の携帯型コンテンツデータ再生装置２００を接続することも可能である。
【００１１】
なお、コンテンツファイルに格納されるコンテンツデータや、汎用の携帯型コンテンツデータ再生装置２００で再生されるコンテンツデータは、静止画像、動画像、テキストなどの映像のデータと、楽音、肉声などの音声のデータとの少なくとも一部からなる。
ＨＭＤ１００は、ヘッドバンド１０１Ｂの両端に設けられた左右のヘッドホン１０１Ｌ，１０１Ｒと、左のヘッドホン１０１Ｌに連結された支持アーム１１２ａと、支持アーム１１２ａの先端に連結された表示部１０２とを備える。右のヘッドホン１０１Ｒの表面には、ユーザが各種の指示（再生指示、停止指示、音声のボリューム変更指示、映像の明るさ変更指示、モード切替指示など）をＨＭＤ１００へ入力するための操作スイッチ１０５が設けられる。操作スイッチ１０５は、例えばマルチセレクタ（十字釦と決定釦とを組み合わせたもの）である。
【００１２】
ヘッドホン１０１Ｌ，１０１Ｒをユーザの左右の耳へ当接させ、ヘッドバンド１０１Ｂをユーザの頭頂部近傍に位置させると、ヘッドバンド１０１Ｂの弾性力により、ＨＭＤ１００がユーザの頭部へ固定される。この状態で支持アーム１１２ａは、図１に実線で示すとおり、表示部１０２をユーザの左眼（観察眼）の前に正対させる。表示部１０２には、その観察眼へ拡大された映像を投影する光学系と映像表示素子とが備えられる。
【００１３】
左のヘッドホン１０１Ｌと支持アーム１１２ａとの連結箇所は、図１の矢印ａの方向へスライド可能であると共に、図１の矢印ｃの方向（軸ｂの周り）へ回動可能でもある。支持アーム１１２ａを方向ａへスライドさせると、表示部１０２と観察眼との間隔が調節され、支持アーム１１２ａを方向ｃへ回動させると、図１に点線で示すとおり、表示部１０２が観察眼の前から退避する。
【００１４】
したがって、ＨＭＤ１００を装着したユーザは、必要なときに支持アーム１１２ａを手で動かし、観察時には実線で示すとおり表示部１０２を観察眼の前の適当な距離に配置し、非観察時には点線で示すとおり表示部１０２を頭頂部の近傍へ退避させることができる。
なお、表示部１０２と支持アーム１１２ａとの連結箇所には、スライド部材１１２ｂと球面軸受け１１２ｃとが設けられており、表示部１０２の姿勢や位置が微調整可能になっている。また、左のヘッドホン１０１ＬにはＡＶ入力端子１３０が設けられており、このＡＶ入力端子１３０に対しケーブル１４の一方の接続部（プラグ）が差し込まれる。
【００１５】
コンテンツデータ再生装置２００は、ＡＶ出力端子２２０を有しており、このＡＶ出力端子２２０に対し、ケーブル１４の他方の接続部（プラグ）が差し込まれる。なお、コンテンツデータ再生装置２００には、ユーザが各種の指示をコンテンツデータ再生装置２００へ入力するための操作スイッチ２０５が設けられている。
次に、ＨＭＤ１００の電気的構成を説明する。
【００１６】
図２は、ＨＭＤ１００及びコンテンツデータ再生装置２００の電気的構成を示すブロック図である。図２に示すとおり、ＨＭＤ１００には、コンテンツファイルを格納するフラッシュメモリなどの記憶部１０６、コンテンツファイルを再生する再生部１０７、信号切替部１２０、ＡＶ入力端子１３０の近傍に設けられた接続検出部１３１Ａ，１３１Ｖ、コンピュータなどの外部情報端末とコンテンツファイルを送受するＵＳＢなどのインタフェース１０９、操作スイッチ１０５の操作内容に応じて各部を制御する制御部１０８が備えられる。
【００１７】
記憶部１０６に格納されるコンテンツファイルは、例えば、音声と映像とからなる音声付き映像コンテンツデータのファイルである。このコンテンツファイルは、予め、外部情報端末からインタフェース部１０９、ＨＭＤ１００へと転送され、記憶部１０６へ格納されたものである。
記憶部１０６に格納されたコンテンツファイルは、再生部１０７により読み出され、並列に送出される音声信号（Ａ）及び映像信号（Ｖ）へと変換される。これらの音声信号（Ａ）及び映像信号（Ｖ）は、信号切替部１２０へ入力される。
【００１８】
信号切替部１２０には、ＡＶ入力端子１３０も接続されている。ＡＶ入力端子１３０の形状は、規格に準拠しており、ここでは、互いに独立したオーディオ入力端子１３０Ａとビデオ入力端子１３０Ｖとを持つ。また、ケーブル１４としては、その接続部にオーディオプラグ１４Ａとビデオプラグ１４Ｖとが独立して設けられたものが用いられる。
なお、通常、オーディオ入力端子１３０Ａには、左音声用のオーディオ入力端子と右音声用のオーディオ入力端子との２系統があり、オーディオプラグ１４Ａには、左音声用のオーディオプラグと右音声用のオーディオプラグとの２系統があるが、ここでは簡単のため、それらを１系統として説明する。
【００１９】
オーディオ入力端子１３０Ａの近傍には、接続検出部１３１Ａが設けられる。接続検出部１３１Ａは、オーディオ入力端子１３０Ａにオーディオプラグ１４Ａが差し込まれたか否かを検出するセンサであり、例えば、オーディオ入力端子１３０Ａにオーディオプラグ１４Ａが差し込まれたときにのみオンされるスイッチである。この接続検出部１３１Ａからの検出信号は、制御部１０８へと送られる。
【００２０】
ビデオ入力端子１３０Ｖの近傍には、接続検出部１３１Ｖが設けられる。接続検出部１３１Ｖは、ビデオ入力端子１３０Ｖにビデオプラグ１４Ｖが差し込まれたか否かを検出するセンサであり、例えば、ビデオ入力端子１３０Ｖにビデオプラグ１４Ｖが差し込まれたときにのみオンされるスイッチである。この接続検出部１３１Ｖからの検出信号は、制御部１０８へと送られる。
【００２１】
制御部１０８は、これらの検出信号により、外部からのオーディオ入力の可能性の有無と、外部からのビデオ入力の可能性の有無とを個別に認識することができる。
ここで、信号切替部１２０は、再生部１０７から入力される映像信号と、ビデオ入力端子１３０Ｖから入力される映像信号との一方を選択して表示部１０２へ送出する。
以下、前者の映像信号を「内部映像信号」と称し、後者の映像信号を「外部映像信号」と称し、内部映像信号によって表示される実際の映像を「内部映像」と称し、外部映像信号によって表示される実際の映像を「外部映像」と称す。
【００２２】
したがって、信号切替部１２０は、表示部１０２の表示対象を、内部映像と外部映像との間で切り替えることができる（図２のスイッチ記号は、この切り替えの機能を可視化したものである。）。
また、信号切替部１２０は、再生部１０７から入力される音声信号と、オーディオ入力端子１３０Ａから入力される音声信号との一方を選択して左右のヘッドホンのスピーカ１０１ＳＬ，１０１ＳＲへ送出する。
【００２３】
以下、前者の音声信号を「内部音声信号」と称し、後者の音声信号を「外部音声信号」と称し、内部音声信号によって発せられる実際の音声を「内部音声」と称し、外部音声信号によって発せられる実際の音声を「外部音声」と称す。
したがって、信号切替部１２０は、スピーカ１０１ＳＬ，１０１ＳＲの出力対象を、内部音声と外部音声との間で切り替えることができる（図２のスイッチ記号は、この切り替えの機能を可視化したものである。）。
【００２４】
以上の信号切替部１２０における切り替えのタイミングは、制御部１０８によって制御される。この切替制御の詳細は、後述する。
一方、コンテンツデータ再生装置２００には、コンテンツファイルを格納する記憶部２０６、コンテンツファイルを読み出す再生部２０７、コンピュータなどの外部情報端末とコンテンツファイルを送受するＵＳＢなどのインタフェース２０９、操作スイッチ２０５の操作に応じて各部を制御する制御部２０８が備えられる。
【００２５】
記憶部２０６に格納されるコンテンツファイルは、例えば、音声付き映像コンテンツデータのファイルである。記憶部２０６に格納されたコンテンツファイルは、再生部２０７により読み出され、並列に送出される音声信号（Ａ）及び映像信号（Ｖ）へと変換される。それらの音声信号及び映像信号は、ＡＶ出力端子２２０を介してケーブル１４へと送出される。なお、ＡＶ出力端子２２０とケーブル１４の接続部とは、互いに適合していれば如何なる形状であっても構わない。また、コンテンツデータ再生装置２００の構成は、ＡＶ出力端子２２０を有しているのであれば、図２に示したものに限定されることは無い。
【００２６】
次に、上述した切替制御の詳細を説明する。
図３は、切替制御に関する制御部１０８の動作フローチャートである。図３に示すとおり、制御部１０８は、操作スイッチ１０５の操作内容によりユーザからの再生指示を認識すると（ステップＳ１１ＹＥＳ）、再生部１０７を動作させて記憶部２０６に格納されるコンテンツファイルのコンテンツデータを読み出し、それを再生して内部映像信号及び内部音声信号の生成を開始する（ステップＳ１２）。
【００２７】
続いて、制御部１０８は、接続検出部１３１Ａからの検出信号を参照し、オーディオ入力端子１３０Ａにオーディオプラグ１４Ａが差し込まれているか否かを認識する（ステップＳ１３）。オーディオプラグ１４Ａが差し込まれていることを認識すると（ステップＳ１３ＹＥＳ）、制御部１０８は、信号切替部１２０に指示を与えてスピーカ１０１ＳＬ，１０１ＳＲの出力対象を外部音声に設定する（ステップＳ１４）。一方、オーディオプラグ１４Ａが差し込まれていないことを認識すると（ステップＳ１３ＮＯ）、制御部１０８は、信号切替部１２０に指示を与えてスピーカ１０１ＳＬ，１０１０ＳＲの出力対象を内部音声に設定する（ステップＳ１５）。
【００２８】
また、制御部１０８は、接続検出部１３１Ｖからの検出信号を参照し、ビデオ入力端子１３０Ｖにビデオプラグ１４Ｖが差し込まれているか否かを認識する（ステップＳ１６）。ビデオプラグ１４Ｖが差し込まれていることを認識すると（ステップＳ１６ＹＥＳ）、制御部１０８は、信号切替部１２０に指示を与えて表示部１０２の表示対象を外部映像に設定する（ステップＳ１７）。一方、ビデオプラグ１４Ｖが差し込まれていないことを認識すると（ステップＳ１６ＮＯ）、制御部１０８は、信号切替部１２０に指示を与えて表示部１０２の表示対象を内部映像に設定する（ステップＳ１８）。
【００２９】
その後、ユーザからの停止指示が無い限り（ステップＳ１９ＮＯ）、上述したステップＳ１３及びそれ以降の処理が繰り返される。また、ユーザからの停止指示があると（ステップＳ１９ＹＥＳ）、ステップＳ１１及びそれ以降の処理が繰り返される。
したがって、ＨＭＤ１００のユーザは、ＨＭＤ１００に格納されたコンテンツファイルのコンテンツを鑑賞したいときには、ＨＭＤ１００に外部装置を接続せずに、ＨＭＤ１００に対し再生指示を与えればよい。また、ＨＭＤ１００のユーザは、外部装置（コンテンツデータ再生装置２００）で再生されるコンテンツを鑑賞したいときには、ＨＭＤ１００に外部装置（コンテンツデータ再生装置２００）を接続し、その外部装置（コンテンツデータ再生装置２００）に対し再生指示を与えればよい。
【００３０】
すなわち、ＨＭＤ１００のユーザは、ＨＭＤ１００で再生されるコンテンツと外部装置（コンテンツデータ再生装置２００）で再生されるコンテンツとを自由に選択して鑑賞することができる。
さらに、ＨＭＤ１００のユーザは、ＨＭＤ１００で再生されるコンテンツの映像と、外部装置（コンテンツデータ再生装置２００）で再生されるコンテンツの音声とを組み合わせて鑑賞したいときには、ビデオ入力端子１３０Ｖを空けたままオーディオ入力端子１３０Ａにのみ外部装置（コンテンツデータ再生装置２００）を接続し、ＨＭＤ１００と外部装置（コンテンツデータ再生装置２００）との双方に対し再生指示を与えればよい。
【００３１】
また、ＨＭＤ１００のユーザは、ＨＭＤ１００で再生されるコンテンツの音声と、外部装置（コンテンツデータ再生装置２００）で再生されるコンテンツの映像とを鑑賞したいときには、オーディオ入力端子１３Ａを空けたままビデオ入力端子１３０Ｖにのみ外部装置（コンテンツデータ再生装置２００）を接続し、ＨＭＤ１００と外部装置との双方に対し再生指示を与えればよい。
【００３２】
すなわち、ＨＭＤ１００のユーザは、ＨＭＤ１００で再生されるコンテンツの映像又は音声と、外部装置（コンテンツデータ再生装置２００）で再生されるコンテンツの音声又は映像とを自由に組み合わせて鑑賞することができる。
なお、本実施形態の制御部１０８は、図３のステップＳ１３〜Ｓ１５と、ステッＳ１６〜Ｓ１８とをこの順で実行したが、両者の実行の順序を入れ替えてもよい。
【００３３】
また、本実施形態のＨＭＤ１００は、オーディオプラグ１４Ａが抜き差しされた直後に音声の切り替えを行うが、抜き差し後、一定期間変化が無かった場合に限り、その切り替えを行うこととしてもよい。
また、本実施形態のＨＭＤ１００は、ビデオプラグ１４Ａが抜き差しされた直後に映像の切り替えを行うが、抜き差し後、一定期間変化が無かった場合に限り、その切り替えを行うこととしてもよい。
【００３４】
また、本実施形態のＨＭＤ１００は、スピーカ１０１ＳＬ，１０１ＳＲから発せられる外部音声と内部音声とのギャップを無くすために、外部音声信号に対しオートゲインコントロールを施すことが望ましい。
また、本実施形態のＨＭＤ１００は、表示部１０２に表示される外部映像と内部映像とのギャップを無くすために、外部映像信号に対しオートゲインコントロール、オートレベルコントロールを施すことが望ましい。
【００３５】
なお、これらのオートゲインコントロールやオートレベルコントロールを施す手段は、各入力端子と信号切替部１２０の間とに設けられる。
また、本実施形態のＨＭＤ１００は、外部音声信号と内部音声信号との切り替え前後に、外部音声信号と内部音声信号とのゲインを時間変化させてフェードイン・フェードアウト効果を得てもよい。或いは、外部音声信号と内部音声信号との切り替え前後にブランク期間を設けてもよい。
【００３６】
また、本実施形態のＨＭＤ１００は、外部音声信号に対して特別な処理を施していないが、スピーカ１０１ＳＬ，１０１ＳＲに適合させるための処理を施してもよい。また、この処理の実行の有無をユーザに設定させてもよい。
また、本実施形態のＨＭＤ１００は、外部音声信号と内部音声信号との切り替えをオーディオプラグ１４Ａの抜き差しに応じて行ったが、ＨＭＤ１００の電源のオン／オフに応じて行ってもよい。その場合、電源がオフされているときにスピーカ１０１ＳＬ，１０１ＳＲから外部音声が出力されるよう、ＨＭＤ１００が構成される。
【００３７】
また、本実施形態のＨＭＤ１００の接続先（外部装置）は、ＡＶ出力端子を有したコンテンツデータ再生装置（再生対象は音声付き映像コンテンツデータのファイル）であったが、オーディオ出力端子のみを有したコンテンツデータ再生装置（再生対象は音声コンテンツデータのファイル）や、ビデオ出力端子のみを有したコンテンツデータ再生装置（再生対象は映像コンテンツデータのファイル）などであってもよい。その場合にも、ＨＭＤ１００に格納されたコンテンツと外部装置に格納されたコンテンツとをユーザが自由に組み合わせて鑑賞することができる。
【００３８】
また、本実施形態のＨＭＤ１００は、オーディオプラグ１４Ａの抜き差しにより外部音声信号の入力の有無を間接的に検出したが、外部音声信号の入力の有無を信号経路の電圧値などから直接的に検出してもよい。
また、本実施形態のＨＭＤ１００は、ビデオプラグ１４Ｖの抜き差しにより映像信号の入力の有無を間接的に検出したが、外部映像信号の入力有無を、信号経路における同期信号の有無などから直接的に検出してもよい。
【００３９】
［変形例］
次に、第１実施形態の変形例を述べる。本変形例においては、制御部１０８は、操作スイッチ１０５を介した再生指示の有無によらず、ビデオ入力端子１３０Ｖやオーディオ入力端子１３０Ａへのプラグ差込状態又は信号入力有無により、ビデオ入力端子１３０Ｖやオーディオ入力端子１３０Ａからの信号を表示部１０２とスピーカ１０１ＳＬ，１０１ＳＲに出力開始するように信号切替部１２０を制御する。
【００４０】
具体的には、ＨＭＤ１００の電源がＯＮされると、図３のステップＳ１３からＳ１８までのステップが適時繰り返し実行される。この場合、ＨＭＤ１００の電源がＯＮされた場合には、表示部１０２への電力供給を開始し、駆動状態にする。また、各種外部信号に対してオートゲインコントロールやオートレベルコントロールを施す手段が設けられた場合には、これらも駆動状態にする。そして、制御部１０５は、各入力端子へのプラグ差込又は信号入力が検出されたら、第１実施形態と同様に信号切替部１２０を切り替える。
【００４１】
このような変形例によれば、ユーザは、ＨＭＤ１００の再生操作を行わなくとも、外部で再生されたコンテンツを視聴することが可能となる。
［第２実施形態］
以下、第２実施形態を説明する。本実施形態も、ＨＭＤの実施形態である。ここでは、第１実施形態のＨＭＤとの相違点のみ説明する。
【００４２】
図４は、本実施形態のＨＭＤ１００の電気的構成を示すブロック図である。図４に示すとおり、第１実施形態のＨＭＤとの構成上の相違点は、接続検出部１３１Ａ，１３１Ｖが省略された点と、信号切替部１２０に代えて信号合成部１２０’が備えられた点とにある。
信号合成部１２０’は、内部映像信号と外部映像信号とを加算合成し、合成後の映像信号を表示部１０２へ送出すると共に、内部音声信号と外部音声信号とを加算合成し、合成後の音声信号をスピーカ１０１ＳＲ，１０１ＳＬへ送出する。図４の加算記号は、この機能を可視化したものである。なお、外部映像信号と内部映像信号とをそのまま加算合成するとレベルが飽和するので、信号合成部１２０’には、レベル調節の機能、或いは、リミッタの機能が付与されているものとする。
【００４３】
したがって、本実施形態の表示部１０２には、内部映像と外部映像との合成映像が表示される。また、本実施形態のスピーカ１０１ＳＲ，１０１ＳＬからは、内部音声と外部音声との合成音声が出力される。
図５は、信号合成部１２０’の機能を詳しく説明するブロック図である。図５に示すように、信号合成部１２０’は、合成前の内部映像信号のゲインを調節するゲインコントロール部１２１Ｖと、合成前の内部音声信号のゲインを調節するゲインコントロール部１２１Ａと、合成前の外部映像信号のゲインを調節するゲインコントロール部１２２Ｖと、合成前の外部音声信号のゲインを調節するゲインコントロール部１２２Ａとを有する。
【００４４】
ゲインコントロール部１２１Ｖの調節量（ゲイン値）と、ゲインコントロール部１２２Ｖの調節量（ゲイン値）と、ゲインコントロール部１２１Ａの調節量（ゲイン値）と、ゲインコントロール部１２２Ａの調節量（ゲイン値）とは、それぞれ可変であり、それぞれ制御部１０８により指定される。
このうち、ゲインコントロール部１２１Ｖの調節量（ゲイン値）と、ゲインコントロール部１２２Ｖの調節量（ゲイン値）との比は、内部映像と外部映像との合成比を決める。この映像の合成比は、非再生時にユーザによって設定される。
【００４５】
また、ゲインコントロール部１２１Ａの調節量（ゲイン値）と、ゲインコントロール部１２２Ａの調節量（ゲイン値）との比は、内部音声と外部音声との合成比を決める。この音声の合成比も、非再生時にユーザによって設定される。
以下、ユーザ設定に関する制御部１０８の動作を説明する。ここでは、非再生時のユーザインタフェースとして、操作スイッチ１０５と表示部１０２との双方が用いられるとする。非再生時に表示部１０２へ表示される各種操作画面の映像信号は、制御部１０８によって生成され、表示部１０２へと送出される。
【００４６】
図６は、ユーザ設定に関する制御部１０８の動作を説明する図である。
非再生時、制御部１０８は、図６（Ａ）に示すようなメニュー画面を表示部１０２へ表示する。
メニュー画面上には、各種の項目が上下に配列されており、その項目の１つが、映像又は音声の合成比を設定するための「ミックス設定」である。この表示中、ユーザが操作スイッチ１０５を上下方向に操作すると、カーソルの指示先が変化する。カーソルの指示先が「ミックス設定」であるときにユーザが操作スイッチ１０５の決定釦を押下すると、表示部１０２の画面は、図６（Ｂ−１）に示すような選択画面へと切り替わる。
【００４７】
選択画面（図６（Ｂ−１））上には、「音声のミックス設定」と「映像のミックス設定」との２項目が上下に配列されている。この表示中、ユーザが操作スイッチ１０５を上下方向に操作すると、カーソルの指示先が変化する（図６（Ｂ−２））。
カーソルの指示先が「音声のミックス設定」であるとき（図６（Ｂ−１））にユーザが操作スイッチ１０５の決定釦を押下すると、表示部１０２の画面は、図６（Ｃ−１）に示すような音声のミックス設定画面に切り替わる。
【００４８】
音声のミックス設定画面（図６（Ｃ−１））上には、左右方向に各種の合成比（１００％／０％，７５％／２５％，５０％／５０％，２５％／７５％，０％／１００％）が配列されると共に、何れか１つの合成比を指し示すカーソルが配置される。この表示中、ユーザが操作スイッチ１０５の左右釦を操作すると、カーソルの指示先が変化する。その後、ユーザが操作スイッチ１０５の決定釦を押下すると、制御部１０８は、その時点におけるカーソルの指示先（図６では２５％／７５％）認識し、その値（２５％／７５％）を音声に関する合成比として、制御部１０８の内部の不揮発性メモリへ記憶する。これにより、音声に関する合成比の設定が完了する。
【００４９】
一方、カーソルの指示先が「映像のミックス設定」であるとき（図６（Ｂ−２））にユーザが操作スイッチ１０５の決定釦を押下すると、表示部１０２の画面は、図６（Ｃ−２）に示すとおり、映像のミックス設定画面に切り替わる。
映像のミックス設定画面（図６（Ｃ−２））上には、左右方向に各種の合成比（１００％／０％，７５％／２５％，５０％／５０％，２５％／７５％，０％／１００％）が配列されると共に、何れか１つの合成比を指し示すカーソルが配置される。この表示中、ユーザが操作スイッチ１０５の左右釦を操作すると、カーソルの指示先が変化する。その後、ユーザが操作スイッチ１０５の決定釦を押下すると、制御部１０８は、その時点におけるカーソルの指示先（図６では２５％／７５％）認識し、その値（２５％／７５％）を、映像に関する合成比として前述した不揮発性メモリへ記憶する。これにより、映像に関する合成比の設定が完了する。
【００５０】
設定の完了後は、再び同様の設定が行われない限り、不揮発性メモリに記憶された音声及び映像の合成比は、ＨＭＤ１００の電源のオン／オフに拘わらず保存される。制御部１０８は、ＨＭＤ１００の電源がオンされた直後などに不揮発性メモリを参照し、ユーザの設定した合成比が実現されるよう信号合成部１２０’の設定を行えばよい。
したがって、本実施形態のＨＭＤ１００のユーザは、音声の合成比と映像の合成比とをそれぞれ所望の値に設定することができる。
【００５１】
なお、本実施形態のＨＭＤ１００は、外部映像信号と内部映像信号とを合成する際に、外部映像信号のフレームの先頭と内部映像信号のフレームの先頭とを一致させる必要があるので、制御部１０８は、外部映像信号に含まれる同期信号を検出し、外部映像信号が信号合成部１２０’へ入力されるタイミングと、内部映像信号が信号合成部１２０’へ入力されるタイミングとを制御している。
【００５２】
また、本実施形態のＨＭＤ１００は、外部映像信号と内部映像信号との合成方法を、加算合成とたが、比較合成としてもよい。比較合成とは、２つの信号を比較し、値の大きい方のみを採用する合成方法である。
また、本実施形態の合成方法によると、外部映像及び内部映像の一方の背後に他方を透けて見せるような合成映像が表示されるが、図７，図８，図９に示すように、一方の映像の一部を他方の映像の一部又は全部に置き換えたような合成映像を表示してもよい。因みに、図７に示すような合成映像は「ピクチャ・イン・ピクチャ」と呼ばれる。何れの場合も、画面内における外部映像と内部映像との占有比を、前述した合成比と同様にユーザに設定させればよい。なお、図７，図８，図９に示すような合成映像の生成には、公知の何れの生成方法を適用してもよい。また、その生成にフレームメモリを使用してもよい。
【００５３】
また、本実施形態のＨＭＤは、第１実施形態のＨＭＤの変形例であったが、第１実施形態の機能と第２実施形態の機能とを併せ持つＨＭＤを構成してもよい。例えば、第２実施形態と同じ機能を持つＨＭＤにおいて、ユーザが合成比を設定しなかった場合（デフォールトのとき）にのみ、第１実施形態と同じ機能が出現するＨＭＤなどである。
［第３実施形態］
以下、第３実施形態を説明する。本実施形態も、ＨＭＤの実施形態である。ここでは、第２実施形態のＨＭＤとの相違点のみ説明する。本実施形態では、ＨＭＤの接続先として、制御入力端子を有したコンテンツデータ再生装置を想定する。
【００５４】
図１０は、本実施形態のＨＭＤ１０及びコンテンツデータ再生装置２００の電気的構成を示すブロック図である。本実施形態のＨＭＤ１００には、規格に準拠した制御出力端子１３０Ｃと、識別部１５０と、状態センサ１２９とが備えられる。状態センサ１２９は、図１の支持アーム１１２ａの回動位置に応じてオンオフされるスイッチなどからなり、表示部１０２がユーザの眼前に位置しているか、それとも表示部１０２が眼前から退避した位置にあるか（表示部１０２の表示可否）を検出する。状態センサ１２９からの検出信号は、制御部１０８へと与えられる。
【００５５】
コンテンツデータ再生装置２００は、ＨＭＤ１００の制御出力端子１３０に対応した制御入力端子２２０Ｃを備えており、この制御入力端子２２０Ｃが、ケーブル１６を介してその制御出力端子１３０Ｃへと接続される。なお、ケーブル１６は、ケーブル１４と共通化されてもよいが、ここでは説明上、独立しているものとした。
したがって、ＨＭＤ１００の制御部１０８は、制御出力端子１３０Ｃを介してコンテンツデータ再生装置２００へと制御信号（Ｃ）を送出することができる。但し、コンテンツデータ再生装置２００へ送出される制御信号は、コンテンツデータ再生装置２００が認識可能な制御信号である必要がある。
【００５６】
このため、制御出力端子１３０Ｃには、制御信号を出力するためのピン（制御用のピン）の他に、外部装置の種類を識別するためのピン（識別用のピン）が設けられ、制御入力端子２２Ｃには、制御信号を入力するためのピン（制御用のピン）の他に、コンテンツデータ再生装置２００の種類を表すためのピン（識別用のピン）が設けられている。
その識別用のピンの状態は、ＨＭＤ１００の識別部１５０によって検知され、制御部１０８へと与えられる。これによって、制御部１０８は、コンテンツデータ再生装置２００の種類を認識することができる。また、コンテンツデータ再生装置２００が認識可能な制御信号を送出することにより、コンテンツデータ再生装置２００を間接的に制御する。
【００５７】
図１１は、コンテンツデータ再生装置２００の制御に関する制御部１０８の動作フローチャートである。図１１に示すとおり、制御部１０８は、操作スイッチ１０５の操作内容によりユーザからの再生指示を認識すると（ステップＳ２１ＹＥＳ）、再生部１０７を動作させて記憶部１０６に格納されたコンテンツファイルのコンテンツデータを再生し、内部映像信号及び内部音声信号の生成を開始する（ステップＳ２３）。それと同時に、制御部１０８は、コンテンツデータ再生装置２００が認識可能な再生制御信号を生成し、それをコンテンツデータ再生装置２００へ送出する（ステップＳ２４）。このとき、コンテンツデータ再生装置２００の内部でも再生が開始されるので、コンテンツデータ再生装置２００からＨＭＤ１００へと外部映像信号及び外部音声信号が入力され始める。
【００５８】
その後、制御部１０８は、操作スイッチ１０５の操作内容によりユーザからの停止指示を認識すると（ステップＳ２５ＹＥＳ）、再生部１０７を停止させて内部映像信号及び内部音声信号の生成を停止する（ステップＳ２７）。それと同時に、制御部１０８は、コンテンツデータ再生装置２００が認識可能な停止制御信号を生成し、それをコンテンツデータ再生装置２００へ送出する（ステップＳ２７）。このとき、コンテンツデータ再生装置２００の内部でも再生が停止されるので、コンテンツデータ再生装置２００からＨＭＤ１００に対する外部映像信号及び外部音声信号の入力も停止される。
【００５９】
さらに、非再生期間において、制御部１０８は、ユーザからの再生指示が無かったとしても（ステップＳ２１ＮＯ）、状態センサ１２９の出力から表示部１０２がユーザの眼前にセットされたことを認識すると（ステップＳ２２ＹＥＳ）、前述したステップＳ２３，Ｓ２４を実行し、ＨＭＤ１００及びコンテンツデータ再生装置２００の双方の再生を開始する。
【００６０】
また、再生期間において、制御部１０８は、ユーザからの停止指示が無かったとしても（ステップＳ２５ＮＯ）、状態センサ１２９の出力から表示部１０２がユーザの眼前から退避されたことを認識すると（ステップＳ２６ＹＥＳ）、前述したステップＳ２７，Ｓ２８を実行し、ＨＭＤ１００及びコンテンツデータ再生装置２００の双方の再生を停止させる。
【００６１】
以上、本実施形態のＨＭＤ１００は、コンテンツデータ再生装置２００の制御内容をＨＭＤ１００の制御内容に連動させるので、コンテンツデータ再生装置２００の無駄な動作を省くことができる。また、ユーザは、ＨＭＤ１００の操作スイッチ１０５を操作するだけで、ＨＭＤ１００とコンテンツデータ再生装置２００との双方を操作することができる。
【００６２】
また、本実施形態のＨＭＤ１００は、ＨＭＤ１００及びコンテンツデータ再生装置２００の制御内容に、表示部１０２の表示可否を反映させる。具体的には、表示部１０２がユーザの眼前から退避し、ユーザが映像を鑑賞できない期間には、再生を自動的に停止させる。したがって、ＨＭＤ１００及びコンテンツデータ再生装置２００の再生期間を、必要最小限に抑えることができる。
【００６３】
なお、本実施形態のＨＭＤ１００は、表示部１０２の表示可否を、音声に関する制御内容と映像に関する制御内容との双方に反映させたが、音声に関する制御内容には反映させなくてもよい。
また、本実施形態のＨＭＤ１００には、外部装置の種類を自己検出する機能が搭載されたが、自己検出する機能の代わりに、外部装置の種類をユーザ入力させる機能が搭載されてもよい。以下、ユーザ入力の機能を説明する。
【００６４】
制御部１０８は、表示部１０２に表示すべきメニュー画面の項目の１つに、図１２（Ａ）に示すとおり、「接続設定」を用意する。このメニュー画面の表示中、ユーザが操作スイッチ１０５の上下方向に操作してカーソルの指示先を「接続設定」とし、さらに操作スイッチ１０５の決定釦を押下すると、表示部１０２の画面は、図１２（Ｂ）に示すような接続設定画面へと切り替わる。接続設定画面上には、各種の製品名が上下に配列されている。この接続設定画面の表示中、ユーザが操作スイッチ１０５を上下方向に操作すると、カーソルの指示先が変化する。ユーザは、カーソルの指示先を、外部装置と同じ製品名に設定し、その状態で操作スイッチ１０５の決定釦を押下すると、制御部１０８は、その時点におけるカーソルの指示先（図１２では「製品名２」）を認識し、その製品名の情報を、前述した不揮発性メモリへ記憶し、さらに表示部１０２の画面をメニュー画面（図１２（Ａ））に戻す。その後、制御部１０８は、その製品名の情報を利用して外部装置が認識可能な制御信号を生成すればよい。
【００６５】
また、本実施形態の説明では、操作スイッチ１０５から入力されるユーザの指示を、再生指示と停止指示との２つに限定したが、実際には、音声のボリューム変更指示、映像の明るさ変更指示なども入力される可能性がある。ＨＭＤ１００及びコンテンツデータ再生装置２００の制御内容には、それらの指示も反映される。
例えば、操作スイッチ１０５からボリューム変更指示が入力されたときには、内部音声信号のゲインと外部音声信号のゲインとが同程度ずつ調節される（但し、その調節の前後でユーザの設定した合成比は保たれる。）。また、操作スイッチ１０５から明るさ変更指示が入力されたときには、内部映像信号のゲイン及びレベルと外部映像信号のゲイン及びレベルとが、同程度ずつ調節される（但し、その調節の前後でユーザの設定した合成比は保たれる。）。
【００６６】
なお、外部音声信号及び外部映像信号の調節は、ＨＭＤ１００の制御部１０８がコンテンツデータ再生装置２００を間接的に制御することによって行われてもよいが、ＨＭＤ１００の内部で行うことも可能である。
また、本実施形態のＨＭＤ１００は、ＨＭＤ１００及びコンテンツデータ再生装置２００の制御内容に表示部１０２の表示可否を反映させたが、ヘッドホン１０１Ｌ，１０１Ｒの出力可否（ユーザが設定したボリュームがゼロであるか否か）を反映させてもよい。なお、ＨＭＤ１００は、ヘッドホン１０１Ｌ，１０１Ｒの出力可否を、映像に関する制御内容には反映させなくてもよい。
【００６７】
また、本実施形態のＨＭＤ１００は、コンテンツデータ再生装置２００の制御内容に、ＨＭＤ１００の電源のオン／オフ状態を反映させてもよい。例えば、ＨＭＤ１００の電源がオフされている期間にコンテンツデータ再生装置２００の再生を停止させてもよい。
また、本実施形態のＨＭＤ１００は、ＨＭＤ１００のモードに応じてコンテンツデータ再生装置２００のモードを切り替えてもよい。例えば、ＨＭＤ１００の操作スイッチ１０５の機能が特定の機能に制限されている期間に、ＨＭＤ１００は、コンテンツデータ再生装置２００の操作スイッチ２０５の機能を同じ特定の機能に制限してもよい。
【００６８】
また、本実施形態は、第２実施形態の変形例であるが、第１実施形態を同様に変形することもできる。
［その他の実施形態］
なお、上述した各実施形態では、ＨＭＤ１００と外部装置とをケーブルで接続したが、無線通信で接続してもよい。但し、第１実施形態の接続を無線通信で行う場合、プラグの抜き差しは行われないので、ＨＭＤ１００は信号入力の有無を通信状態などから検出することになる。
【００６９】
また、上述した各実施形態は、携帯型コンテンツ出力装置としてヘッドホン付きのＨＭＤを説明したが、ヘッドホンを備えないＨＭＤ、表示部を備えないヘッドホン、モニタ付きの携帯型画像再生装置、モニタ付きの携帯型映像再生装置など、他の種類の携帯型コンテンツ出力装置にも本発明は適用可能である。
【図面の簡単な説明】
【００７０】
【図１】ＨＭＤの使用形態を示す外観図である。
【図２】第１実施形態のＨＭＤ１００及びコンテンツデータ再生装置２００の電気的構成を示すブロック図である。
【図３】第１実施形態の切替制御に関する制御部１０８の動作フローチャートである。
【図４】第２実施形態のＨＭＤ１００の電気的構成を示すブロック図である。
【図５】信号合成部１２０’の機能を詳しく説明するブロック図である。
【図６】第２実施形態のユーザ設定に関する制御部１０８の動作を説明する図である。
【図７】合成映像の別の例を示す図である。
【図８】合成映像のさらに別の例を示す図である。
【図９】合成映像のさらに別の例を示す図である。
【図１０】第３実施形態のＨＭＤ１００と、それに接続可能な汎用のコンテンツデータ再生装置２００の電気的構成を示すブロック図である。
【図１１】第３実施形態のコンテンツデータ再生装置２００の制御に関する制御部１０８の動作フローチャートである。
【図１２】外部装置の種類をユーザに入力させる機能を説明する図である。
【符号の説明】
【００７１】
１００…ＨＭＤ本体，２００…コンテンツデータ再生装置，１３０…外部入力端子，１０８…制御部，１０２…表示部，１０１Ｌ，１０１Ｒ…ヘッドホン，１１２ａ…支持アーム，１０５…操作スイッチ，１０１Ｂ…ヘッドバンド
【図１】
2008048234.tif 000003
【図２】
2008048234.tif 000004
【図３】
2008048234.tif 000005
【図４】
2008048234.tif 000006
【図５】
2008048234.tif 000007
【図６】
2008048234.tif 000008
【図７】
2008048234.tif 000009
【図８】
2008048234.tif 000010
【図９】
2008048234.tif 000011
【図１０】
2008048234.tif 000012
【図１１】
2008048234.tif 000013
【図１２】
2008048234.tif 000014